【手続補正書】
【提出日】平成23年9月22日(2011.9.22)
【手続補正１】
【補正対象書類名】明細書
【補正対象項目名】０１４６
【補正方法】変更
【補正の内容】
【０１４６】
【表１３】
2010540730.tif 000001
上記の推定値は、存在する空気ありおよびなしで本明細書に開示されるような安定剤の存在下でのＣＦ３Ｉ含有組成物の化学安定性の向上を示す。より大きい向上は、これらの安定剤のいずれかが単独で使用されるときのトコフェロールまたはＥｍｉｍＢＦ４と全体濃度が同じものである、トコフェロール／ＥｍｉｍＢＦ４の組み合わせについて示される。
【手続補正２】
【補正対象書類名】明細書
【補正対象項目名】０１４７
【補正方法】変更
【補正の内容】
【０１４７】
以上、本発明を要約すると下記のとおりである。
１．少なくとも１種のイオン性液体とＣＦ３Ｉとを含む組成物。
２．イオン性液体が、
【化７】
2010540730.tif 000002
【化８】
2010540730.tif 000003
［式中、Ｒ１、Ｒ２、Ｒ３、Ｒ４、Ｒ５およびＲ６は、
（ｉ）Ｈ；
（ｉｉ）ハロゲン；
（ｉｉｉ）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ｉｖ）Ｏ、Ｎ、ＳｉおよびＳからなる群から選択される１〜３個のヘテロ原子を含み、かつ、Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ｖ）Ｃ６〜Ｃ２０非置換アリール、またはＯ、Ｎ、ＳｉおよびＳからなる群から独立して選択される１〜３個のヘテロ原子を有するＣ３〜Ｃ２５非置換ヘテロアリール；ならびに
（ｖｉ）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリールであって；
１．Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン、
２．ＯＨ、
３．ＮＨ２、および
４．ＳＨ
からなる群から独立して選択される１〜３個の置換基を有する置換アリールまたは置換ヘテロアリール
からなる群からそれぞれ独立して選択され；かつ、
式中、Ｒ７、Ｒ８、Ｒ９、およびＲ１０は、
（ｖｉｉ）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ｖｉｉｉ）Ｏ、Ｎ、ＳｉおよびＳからなる群から選択される１〜３個のヘテロ原子を含み、かつ、Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ｉｘ）Ｃ６〜Ｃ２５非置換アリール、またはＯ、Ｎ、ＳｉおよびＳからなる群から独立して選択される１〜３個のヘテロ原子を有するＣ３〜Ｃ２５非置換ヘテロアリール；ならびに
（ｘ）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリールであって；
（１）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン、
（２）ＯＨ、
（３）ＮＨ２、および
（４）ＳＨ
からなる群から独立して選択される１〜３個の置換基を有する置換アリールまたは置換ヘテロアリール
からなる群からそれぞれ独立して選択され；かつ、
式中、場合によりＲ１、Ｒ２、Ｒ３、Ｒ４、Ｒ５、Ｒ６、Ｒ７、Ｒ８、Ｒ９、およびＲ１０の少なくとも２つが環状もしくは二環状アルカニルもしくはアルケニル基を一緒になって形成することができる］
からなる群から選択される少なくとも１種の陽イオンを含む上記１に記載の組成物。
３．Ｒ１、Ｒ２、Ｒ３、Ｒ４、Ｒ５、Ｒ６、Ｒ７、Ｒ８、Ｒ９およびＲ１０のいずれの１つも、またはそれらの２つ以上のいずれの群もＦ−を含む上記２に記載の組成物。
４．イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−および任意のフッ素化陰イオンからなる群から選択される陰イオンを含む上記１に記載の組成物。５．フッ素化陰イオンが、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−、およびＦ−からなる群から選択される上記３に記載の組成物。
６．フルオロオレフィン、ハイドロフルオロカーボン、炭化水素、ジメチルエーテル、二酸化炭素、アンモニア、およびそれらの混合物からなる群から選択される少なくとも１種の追加の化合物をさらに含む上記１に記載の組成物。
７．鉱油、アルキルベンゼン、ポリ−アルファ−オレフィン、シリコーン油、ポリオキシ
アルキレングリコールエーテル、ポリオールエステル、ポリビニルエーテル、およびそれらの混合物からなる群から選択される潤滑油をさらに含む上記１に記載の組成物。
８．フェノール類、チオホスフェート、ブチル化トリフェニルホスホロチオネート、オルガノホスフェート、ホスファイト、アリールアルキルエーテル、テルペン、テルペノイド、フラーレン、ポリオキシアルキル化芳香族化合物、アルキル化芳香族化合物、エポキシド、フッ素化エポキシド、オキセタン、ラクトン、アミン、アルキルシラン、ベンゾフェノン誘導体、チオール、チオエーテル、アリールスルフィド、ジビニルテレフタレート、ジフェニルテレフタレート、アスコルビン酸、ニトロメタン、およびそれらの混合物からなる群から選択される少なくとも１種の追加の安定剤をさらに含む上記１に記載の組成物。
９．ａ．フェノール類が、２，６−ジ−第三ブチル−４−メチルフェノール；２，６−ジ−第三ブチル−４−エチルフェノール；２，４−ジメチル−６−第三ブチルフェノール；トコフェロール；ヒドロキノン；ｔ−ブチルヒドロキノン；４，４’−チオ−ビス（２−メチル−６−第三ブチルフェノール）；４，４’−チオビス（３−メチル−６−第三ブチルフェノール）；２，２’−チオビス（４−メチル−６−第三ブチルフェノール）；４，４’−メチレンビス（２，６−ジ−第三ブチルフェノール）；４，４’−ビス（２，６−ジ−第三ブチルフェノール）；２，２’−メチレンビス（４−エチル−６−第三ブチルフェノール）；２，２’−メチレンビス（４−メチル−６−第三ブチルフェノール）；４，４−ブチリデンビス（３−メチル−６−第三ブチルフェノール）；４，４−イソプロピリデンビス（２，６−ジ−第三ブチルフェノール）；２，２’−メチレンビス（４−メチル−６−ノニルフェノール）；２，２’−イソブチリデンビス（４，６−ジメチルフェノール；２，２’−メチレンビス（４−メチル−６−シクロヘキシルフェノール、２，２’−メチレンビス（４−エチル−６−第三ブチルフェノール）；ブチル化ヒドロキシルトルエン（ＢＨＴ）；２，６−ジ−第三−アルファ−ジメチルアミノ−ｐ−クレゾール；４，４−チオビス（６−第三ブチル−ｍ−クレゾール；アシルアミノフェノール；２，６−ジ−第三ブチル−４−（Ｎ，Ｎ’−ジメチルアミノメチルフェノール）；ビス（３−メチル−４−ヒドロキシ−５−第三ブチルベンジル）スルフィド；ビス（３，５−ジ−第三ブチル−４−ヒドロキシベンジル）スルフィドおよびそれらの混合物からなる群から選択される少なくとも１種の化合物を含み；
ｂ．チオホスフェートが、モノチオホスフェート、ジチオホスフェート、トリチオホスフェート、ジアルキルチオホスフェートエステル、およびそれらの混合物からなる群から選択される少なくとも１種の化合物を含み；
ｃ．ブチル化トリフェニルホスホロチオネートが式Ａ：
【化９】
2010540730.tif 000004
（式中、各Ｒは、Ｈまたは第三ブチルから独立して選択される）
で表される少なくとも１種の化合物を含み；
ｄ．オルガノホスフェートが、アミンホスフェート、トリアルキルホスフェート、トリアリールホスフェート、混合アルキル−アリールホスフェート、環状ホスフェート、およびそれらの混合物からなる群から選択される少なくとも１種の化合物を含み；
ｅ．ホスファイトが、トリス−（ジ−第三ブチルフェニル）ホスファイト、ジ−ｎ−オク
チルホスファイト、イソ−デシルジフェニルホスファイト、およびそれらの混合物からなる群から選択される少なくとも１種の化合物を含み；
ｆ．アリールアルキルエーテルが、式Ｂ：
【化１０】
2010540730.tif 000005
（式中、ｎは１、２または３であり、Ｒ１は、１〜１６個の炭素原子のアルキル基である）
で表される少なくとも１種の化合物を含み；
ｇ．テルペンが、イソプレン、ミルセン、アロオシメン、ベータ−オシメン、テレベン、リモネン、レチナール、ピネン、メントール、ゲラニオール、ファルネソール、フィトール、ビタミンＡ、テルピネン、デルタ−３−カレン、テルピノレン、フェランドレン、フェンケン、ジペンテン、およびそれらの混合物からなる群から選択される少なくとも１種の化合物を含み；
ｈ．テルペノイドが、リコピン、ベータカロテン、ゼアキサンチン、ヘパキサンチン、およびイソトレチノイン、アビエタン、アンブロサン、アリストラン、アチサン、ベイエラン、ビサボラン、ボルナン、カリオフィレン、セドラン、ダンマラン、ドリマン、エレモフィラン、オイデスマン、フェンカン、ガンマセラン、ゲルマクラン、ジバン、グラヤノトキサン、グアイアン、ヒマカラン、ホパン、フムラン、カウラン、ラブダン、ラノスタン、ルパン、ｐ−メンタン、オレアナン、オフィオボラン、ピクラサン、ピマラン、ピナン、ポドカルパン、プロトスタン、ロサン、タキサン、ツジャン、トリコテカン、ウルサン、およびそれらの混合物からなる群から選択される少なくとも１種の化合物を含み；
ｉ．フラーレンが、バックミンスターフラーレン、［５，６］フラーレン−Ｃ７０、フラーレン−Ｃ７６、フラーレン−Ｃ７８、フラーレン−Ｃ８４、およびそれらの混合物からなる群から選択される少なくとも１種の化合物を含み；
ｊ．ポリオキシアルキル化芳香族化合物が、式Ａ（式中、Ｒ１基は少なくとも１個の−ＣＨ２ＣＨ２Ｏ−部分を含むポリオキシアルキル化基である）で表される少なくとも１種の化合物を含み；
ｋ．アルキル化芳香族化合物が、少なくとも１種の線状もしくは分枝鎖アルキルベンゼン潤滑油を含み；
ｌ．エポキシド安定剤が、１，２−プロピレンオキシド、１，２−ブチレンオキシド、ブチルフェニルグリシジルエーテル、ペンチルフェニルグリシジルエーテル、ヘキシルフェニルグリシジルエーテル、ヘプチルフェニルグリシジルエーテル、オクチルフェニルグリシジルエーテル、ノニルフェニルグリシジルエーテル、デシルフェニルグリシジルエーテル、グリシジルメチルフェニルエーテル、１，４−グリシジルフェニルジエーテル、４−メトキシフェニルグリシジルエーテル、ナフチルグリシジルエーテル、１，４−ジグリシジルナフチルジエーテル、ブチルフェニルグリシジルエーテル、ｎ−ブチルグリシジルエーテル、イソブチルグリシジルエーテル、ヘキサンジオールジグリシジルエーテル、アリルグリシジルエーテル、ポリプロピレングリコールジグリシジルエーテル、およびそれらの混合物からなる群から選択される少なくとも１種の化合物を含み；
ｍ．フッ素化エポキシドが、式Ｃ：
【化１１】
2010540730.tif 000006
（式中、Ｒ２〜Ｒ５のそれぞれは、Ｈ、１〜６個の炭素原子のアルキルまたは１〜６個の炭素原子のフルオロアルキルであり、ただし、Ｒ２〜Ｒ５の少なくとも１つはフルオロアルキル基である）
で表される少なくとも１種の化合物を含み；
ｎ．オキセタンが、式Ｄ：
【化１２】
2010540730.tif 000007
（式中、Ｒ１〜Ｒ６は、水素、アルキルもしくは置換アルキル、アリールもしくは置換アリールから独立して選択される）
で表される少なくとも１種の化合物を含み；
ｏ．ラクトンが、ガンマ−ブチロラクトン、デルタ−グルコノラクトン、ガンマ−ウンデカラクトン；６，７−ジヒドロ−４（５Ｈ）−ベンゾフラノン；５，７−ビス（１，１−ジメチルエチル）−３−［２，３（または３，４）−ジメチルフェニル］−２（３Ｈ）−ベンゾフラノン、およびそれらの混合物からなる群から選択される少なくとも１種の化合物を含み；
ｐ．アミンが、トリエチルアミン；トリブチルアミン；ジイソプロピルアミン；トリイソプロピルアミン；トリイソブチルアミン；ｐ−フェニレンジアミン；ジフェニルアミン；Ｎ−（１−メチルエチル）−２−プロピルアミン；２，２，６，６−テトラメチル−４−ピペリドン；２，２，６，６−テトラメチル−４−ピペリジノール；ビス（１，２，２，６，６−ペンタメチルピペリジル）；ジ−（２，２，６，６−テトラメチル−４−ピペリジル）セバケート；ポリ−（Ｎ−ヒドロキシエチル−２，２，６，６−テトラメチル−４−ヒドロキシ−ピペリジルスクシネート；Ｎ−フェニル−Ｎ’−（１，３−ジメチルブチル）−ｐ−フェニレンジアミン；Ｎ，Ｎ’−ジ−第二ブチル−ｐ−フェニレンジアミン；タローアミン；Ｎ−メチルビス（水素化タローアルキル）アミン；フェノール−アルファ−ナフチルアミン、およびそれらの混合物からなる群から選択される少なくとも１種の化合物を含み；
ｑ．アルキルシランが、ビス（ジメチルアミノ）メチルシラン、トリス（トリメチルシリル）シラン、ビニルトリエトキシシラン、ビニルトリメトキシシラン、およびそれらの混合物からなる群から選択される少なくとも１種の化合物を含み；
ｒ．ベンゾフェノン誘導体が、２，５−ジフルオロベンゾフェノン；２’，５’−ジヒドロキシアセトフェノン；２−アミノベンゾフェノン；２−クロロベンゾフェノン；２−フルオロベンゾフェノン；２−ヒドロキシベンゾフェノン；２−メチルベンゾフェノン；
２−アミノ−４’−クロロベンゾフェノン；２−アミノ−４’−フルオロベンゾフェノン；２−アミノ−５−ブロモ−２’−クロロベンゾフェノン；２−アミノ−５−クロロベンゾフェノン；２−アミノ−５−クロロ−２’−フルオロベンゾフェノン；２−アミノ−５−ニトロベンゾフェノン；２−アミノ−５−ニトロ−２’−クロロベンゾフェノン；２−アミノ−２’，５−ジクロロベンゾフェノン；２−クロロ−４’−フルオロベンゾフェノン；２−ヒドロキシ−４−メトキシベンゾフェノン；２−ヒドロキシ−５−クロロベンゾフェノン；２−メチルアミノ−５−クロロベンゾフェノン；３−メチルベンゾフェノン；３−ニトロベンゾフェノン；３−ニトロ−４’−クロロ−４−フルオロベンゾフェノン；４−クロロベンゾフェノン；４−フルオロベンゾフェノン；４−ヒドロキシベンゾフェノン；４−メトキシベンゾフェノン；４−メチルベンゾフェノン；４−ニトロベンゾフェノン；４−フェニルベンゾフェノン；４−クロロ−３−ニトロベンゾフェノン；４−ヒドロキシ−４’−クロロベンゾフェノン；２，４−ジヒドロキシベンゾフェノン；２，４−ジメチルベンゾフェノン；２，５−ジメチルベンゾフェノン；３，４−ジアミノベンゾフェノン；３，４−ジクロロベンゾフェノン；３，４−ジフルオロベンゾフェノン；３，４−ジヒドロキシベンゾフェノン；３，４−ジメチルベンゾフェノン；４，４’−ビス（ジエチルアミノ）ベンゾフェノン；４，４’−ビス（ジメチルアミノ）ベンゾフェノン；４，４’−ジクロロベンゾフェノン；４，４’−ジフルオロベンゾフェノン；４，４’−ジヒドロキシベンゾフェノン；４，４’−ジメトキシベンゾフェノン、およびそれらの混合物からなる群から選択される少なくとも１種の化合物を含み；
ｓ．チオールが、メタンチオール、エタンチオール、補酵素Ａ、ジメルカプトコハク酸、グレープフルーツメルカプタン、システイン、およびリポアミド、ならびにそれらの混合物からなる群から選択される少なくとも１種の化合物を含み；
ｔ．チオエーテルが、ベンジルフェニルスルフィド、ジフェニルスルフィド、３，３’−チオジプロピオン酸ジオクタデシル、３，３’−チオプロピオン酸ジドデシル、およびそれらの混合物からなる群から選択される少なくとも１種の化合物を含み；
ｕ．アリールスルフィドが、ベンジルフェニルスルフィド、ジフェニルスルフィド、およびジベンジルスルフィド、ならびにそれらの混合物からなる群から選択される少なくとも１種の化合物を含む
上記８に記載の組成物。
１０．フルオロオレフィンが、
（ｉ）式Ｅ−またはＺ−Ｒ１ＣＨ＝ＣＨＲ２（式中、Ｒ１およびＲ２は、独立して、Ｃ１〜Ｃ６パーフルオロアルキル基である）のフルオロオレフィン；
（ｉｉ）式シクロ−［ＣＸ＝ＣＹ（ＣＺＷ）ｎ−］（式中、Ｘ、Ｙ、Ｚ、およびＷは、独立して、ＨまたはＦであり、ｎは２〜５の整数である）の環状フルオロオレフィン；ならびに
（ｉｉｉ）テトラフルオロエチレン（ＣＦ２＝ＣＦ２）；ヘキサフルオロプロペン（ＣＦ３ＣＦ＝ＣＦ２）；１，２，３，３，３−ペンタフルオロ−１−プロペン（ＣＨＦ＝ＣＦＣＦ３）、１，１，３，３，３−ペンタフルオロ−１−プロペン（ＣＦ２＝ＣＨＣＦ３）、１，１，２，３，３−ペンタフルオロ−１−プロペン（ＣＦ２＝ＣＦＣＨＦ２）、１，２，３，３−テトラフルオロ−１−プロペン（ＣＨＦ＝ＣＦＣＨＦ２）、２，３，３，３−テトラフルオロ−１−プロペン（ＣＨ２＝ＣＦＣＦ３）、１，３，３，３−テトラフルオロ−１−プロペン（ＣＨＦ＝ＣＨＣＦ３）、１，１，２，３−テトラフルオロ−１−プロペン（ＣＦ２＝ＣＦＣＨ２Ｆ）、１，１，３，３−テトラフルオロ−１−プロペン（ＣＦ２＝ＣＨＣＨＦ２）、１，２，３，３−テトラフルオロ−１−プロペン（ＣＨＦ＝ＣＦＣＨＦ２）、３，３，３−トリフルオロ−１−プロペン（ＣＨ２＝ＣＨＣＦ３）、２，３，３−トリフルオロ−１−プロペン（ＣＨＦ２ＣＦ＝ＣＨ２）；１，１，２−トリフルオロ−１−プロペン（ＣＨ３ＣＦ＝ＣＦ２）；１，２，３−トリフルオロ−１−プロペン（ＣＨ２ＦＣＦ＝ＣＨＦ）；１，１，３−トリフルオロ−１−プロペン（ＣＨ２ＦＣＨ＝ＣＦ２）；１，３，３−トリフルオロ−１−プロペン（ＣＨＦ２ＣＨ＝ＣＨＦ）；１，１，１，２，３，４，４，４−オクタフルオロ−２−ブテン（ＣＦ３ＣＦ＝ＣＦＣＦ３）；１，１，２，３，３，４，４，４−オクタフルオロ−１−ブテン（ＣＦ３ＣＦ２ＣＦ＝ＣＦ２）；１，１，１，２，４，４，４−ヘプタフルオロ−２−ブテン（ＣＦ３ＣＦ＝ＣＨＣＦ３）；１，２，３，３，４，４，４−ヘプタフルオロ−１−ブテン（ＣＨＦ＝ＣＦＣＦ２ＣＦ３）；１，１，１，２，３，４，４−ヘプタフルオロ−２−ブテン（ＣＨＦ２ＣＦ＝ＣＦＣＦ３）；１，３，３，３−テトラフルオロ−２−（トリフルオロメチル）−１−プロペン（（ＣＦ３）２Ｃ＝ＣＨＦ）；１，１，３，３，４，４，４−ヘプタフルオロ−１−ブテン（ＣＦ２＝ＣＨＣＦ２ＣＦ３）；１，１，２，３，４，４，４−ヘプタフルオロ−１−ブテン（ＣＦ２＝ＣＦＣＨＦＣＦ３）；１，１，２，３，３，４，４−ヘプタフルオロ−１−ブテン（ＣＦ２＝ＣＦＣＦ２ＣＨＦ２）；２，３，３，４，４，４−ヘキサフルオロ−１−ブテン（ＣＦ３ＣＦ２ＣＦ＝ＣＨ２）；１，３，３，４，４，４−ヘキサフルオロ−１−ブテン（ＣＨＦ＝ＣＨＣＦ２ＣＦ３）；１，２，３，４，４，４−ヘキサフルオロ−１−ブテン（ＣＨＦ＝ＣＦＣＨＦＣＦ３）；１，２，３，３，４，４−ヘキサフルオロ−１−ブテン（ＣＨＦ＝ＣＦＣＦ２ＣＨＦ２）；１，１，２，３，４，４−ヘキサフルオロ−２−ブテン（ＣＨＦ２ＣＦ＝ＣＦＣＨＦ２）；１，１，１，２，３，４−ヘキサフルオロ−２−ブテン（ＣＨ２ＦＣＦ＝ＣＦＣＦ３）；１，１，１，２，４，４−ヘキサフルオロ−２−ブテン（ＣＨＦ２ＣＨ＝ＣＦＣＦ３）；１，１，１，３，４，４−ヘキサフルオロ−２−ブテン（ＣＦ３ＣＨ＝ＣＦＣＨＦ２）；１，１，２，３，３，４−ヘキサフルオロ−１−ブテン（ＣＦ２＝ＣＦＣＦ２ＣＨ２Ｆ）；１，１，２，３，４，４−ヘキサフルオロ−１−ブテン（ＣＦ２＝ＣＦＣＨＦＣＨＦ２）；３，３，３−トリフルオロ−２−（トリフルオロメチル）−１−プロペン（ＣＨ２＝Ｃ（ＣＦ３）２）；１，１，１，２，４−ペンタフルオロ−２−ブテン（ＣＨ２ＦＣＨ＝ＣＦＣＦ３）；１，１，１，３，４−ペンタフルオロ−２−ブテン（ＣＦ３ＣＨ＝ＣＦＣＨ２Ｆ）；３，３，４，４，４−ペンタフルオロ−１−ブテン（ＣＦ３ＣＦ２ＣＨ＝ＣＨ２）；１，１，１，４，４−ペンタフルオロ−２−ブテン（ＣＨＦ２ＣＨ＝ＣＨＣＦ３）；１，１，１，２，３−ペンタフルオロ−２−ブテン（ＣＨ３ＣＦ＝ＣＦＣＦ３）；２，３，３，４，４−ペンタフルオロ−１−ブテン（ＣＨ２＝ＣＦＣＦ２ＣＨＦ２）；１，１，２，４，４−ペンタフルオロ−２−ブテン（ＣＨＦ２ＣＦ＝ＣＨＣＨＦ２）；１，１，２，３，３−ペンタフルオロ−１−ブテン（ＣＨ３ＣＦ２ＣＦ＝ＣＦ２）；１，１，２，３，４−ペンタフルオロ−２−ブテン（ＣＨ２ＦＣＦ＝ＣＦＣＨＦ２）；１，１，３，３，３−ペンタフルオロ−２−メチル−１−プロペン（ＣＦ２＝Ｃ（ＣＦ３）（ＣＨ３））；２−（ジフルオロメチル）−３，３，３−トリフルオロ−１−プロペン（ＣＨ２＝Ｃ（ＣＨＦ２）（ＣＦ３））；２，３，４，４，４−ペンタフルオロ−１−ブテン（ＣＨ２＝ＣＦＣＨＦＣＦ３）；１，２，４，４，４−ペンタフルオロ−１−ブテン（ＣＨＦ＝ＣＦＣＨ２ＣＦ３）；１，３，４，４，４−ペンタフルオロ−１−ブテン（ＣＨＦ＝ＣＨＣＨＦＣＦ３）；１，３，３，４，４−ペンタフルオロ−１−ブテン（ＣＨＦ＝ＣＨＣＦ２ＣＨＦ２）；１，２，３，４，４−ペンタフルオロ−１−ブテン（ＣＨＦ＝ＣＦＣＨＦＣＨＦ２）；３，３，４，４−テトラフルオロ−１−ブテン（ＣＨ２＝ＣＨＣＦ２ＣＨＦ２）；１，１−ジフルオロ−２−（ジフルオロメチル）−１−プロペン（ＣＦ２＝Ｃ（ＣＨＦ２）（ＣＨ３））；１，３，３，３−テトラフルオロ−２−メチル−１−プロペン（ＣＨＦ＝Ｃ（ＣＦ３）（ＣＨ３））；３，３−ジフルオロ−２−（ジフルオロメチル）−１−プロペン（ＣＨ２＝Ｃ（ＣＨＦ２）２）；１，１，１，２−テトラフルオロ−２−ブテン（ＣＦ３ＣＦ＝ＣＨＣＨ３）；１，１，１，３−テトラフルオロ−２−ブテン（ＣＨ３ＣＦ＝ＣＨＣＦ３）；１，１，１，２，３，４，４，５，５，５−デカフルオロ−２−ペンテン（ＣＦ３ＣＦ＝ＣＦＣＦ２ＣＦ３）；１，１，２，３，３，４，４，５，５，５−デカフルオロ−１−ペンテン（ＣＦ２＝ＣＦＣＦ２ＣＦ２ＣＦ３）；１，１，１，４，４，４−ヘキサフルオロ−２−（トリフルオロメチル）−２−ブテン（（ＣＦ３）２Ｃ＝ＣＨＣＦ３）；１，１，１，２，４，４，５，５，５−ノナフルオロ−２−ペンテン（ＣＦ３ＣＦ＝ＣＨＣＦ２ＣＦ３）；１，１，１，３，４，４，５，５，５−ノナフルオロ−２−ペンテン（ＣＦ３ＣＨ＝ＣＦＣＦ２ＣＦ３）；１，２，３，３，４，４，５，５，５−ノナフルオロ−１−ペンテン（ＣＨＦ＝ＣＦＣＦ２ＣＦ２ＣＦ３）；１，１，３，３，４，４，５，５，５−ノナフルオロ−１−ペンテン（ＣＦ２＝ＣＨＣＦ２ＣＦ２ＣＦ３）；１，１，２，３，３，４，４，５，５−ノナフルオロ−１−ペンテン（ＣＦ２＝ＣＦＣＦ２ＣＦ２ＣＨＦ２）；１，１，２，３，４，４，５，５，５−ノナフルオロ−２−ペンテン（ＣＨＦ２ＣＦ＝ＣＦＣＦ２ＣＦ３）；１，１，１，２，３，４，４，５，５−ノナフルオロ−２−ペンテン（ＣＦ３ＣＦ＝ＣＦＣＦ２ＣＨＦ２）；１，１，１，２，３，４，５，５，５−ノナフルオロ−２−ペンテン（ＣＦ３ＣＦ＝ＣＦＣＨＦＣＦ３）；１，２，３，４，４，４−ヘキサフルオロ−３−（トリフルオロメチル）−１−ブテン（ＣＨＦ＝ＣＦＣＦ（ＣＦ３）２）；１，１，２，４，４，４−ヘキサフルオロ−３−（トリフルオロメチル）−１−ブテン（ＣＦ２＝ＣＦＣＨ（ＣＦ３）２）；１，１，１，４，４，４−ヘキサフルオロ−２−（トリフルオロメチル）−２−ブテン（ＣＦ３ＣＨ＝Ｃ（ＣＦ３）２）；１，１，３，４，４，４−ヘキサフルオロ−３−（トリフルオロメチル）−１−ブテン（ＣＦ２＝ＣＨＣＦ（ＣＦ３）２）；２，３，３，４，４，５，５，５−オクタフルオロ−１−ペンテン（ＣＨ２＝ＣＦＣＦ２ＣＦ２ＣＦ３）；１，２，３，３，４，４，５，５−オクタフルオロ−１−ペンテン（ＣＨＦ＝ＣＦＣＦ２ＣＦ２ＣＨＦ２）；３，３，４，４，４−ペンタフルオロ−２−（トリフルオロメチル）−１−ブテン（ＣＨ２＝Ｃ（ＣＦ３）ＣＦ２ＣＦ３）；１，１，４，４，４−ペンタフルオロ−３−（トリフルオロメチル）−１−ブテン（ＣＦ２＝ＣＨＣＨ（ＣＦ３）２）；１，３，４，４，４−ペンタフルオロ−３−（トリフルオロメチル）−１−ブテン（ＣＨＦ＝ＣＨＣＦ（ＣＦ３）２）；１，１，４，４，４−ペンタフルオロ−２−（トリフルオロメチル）−１−ブテン（ＣＦ２＝Ｃ（ＣＦ３）ＣＨ２ＣＦ３）；３，４，４，４−テトラフルオロ−３−（トリフルオロメチル）−１−ブテン（（ＣＦ３）２ＣＦＣＨ＝ＣＨ２）；３，３，４，４，５，５，５−ヘプタフルオロ−１−ペンテン（ＣＦ３ＣＦ２ＣＦ２ＣＨ＝ＣＨ２）；２，３，３，４，４，５，５−ヘプタフルオロ−１−ペンテン（ＣＨ２＝ＣＦＣＦ２ＣＦ２ＣＨＦ２）；１，１，３，３，５，５，５−ヘプタフルオロ−１−ブテン（ＣＦ２＝ＣＨＣＦ２ＣＨ２ＣＦ３）；１，１，１，２，４，４，４−ヘプタフルオロ−３−メチル−２−ブテン（ＣＦ３ＣＦ＝Ｃ（ＣＦ３）（ＣＨ３））；２，４，４，４−テトラフルオロ−３−（トリフルオロメチル）−１−ブテン（ＣＨ２＝ＣＦＣＨ（ＣＦ３）２）；１，４，４，４−テトラフルオロ−３−（トリフルオロメチル）−１−ブテン（ＣＨＦ＝ＣＨＣＨ（ＣＦ３）２）；１，１，１，４−テトラフルオロ−２−（トリフルオロメチル）−２−ブテン（ＣＨ２ＦＣＨ＝Ｃ（ＣＦ３）２）；１，１，１，３−テトラフルオロ−２−（トリフルオロメチル）−２−ブテン（ＣＨ３ＣＦ＝Ｃ（ＣＦ３）２）；１，１，１−トリフルオロ−２−（トリフルオロメチル）−２−ブテン（（ＣＦ３）２Ｃ＝ＣＨＣＨ３）；３，４，４，５，５，５−ヘキサフルオロ−２−ペンテン（ＣＦ３ＣＦ２
ＣＦ＝ＣＨＣＨ３）；１，１，１，４，４，４−ヘキサフルオロ−２−メチル−２−ブテン（ＣＦ３Ｃ（ＣＨ３）＝ＣＨＣＦ３）；３，３，４，５，５，５−ヘキサフルオロ−１−ペンテン（ＣＨ２＝ＣＨＣＦ２ＣＨＦＣＦ３）；４，４，４−トリフルオロ−２−（トリフルオロメチル）−１−ブテン（ＣＨ２＝Ｃ（ＣＦ３）ＣＨ２ＣＦ３）；１，１，２，３，３，４，４，５，５，６，６，６−ドデカフルオロ−１−ヘキセン（ＣＦ３（ＣＦ２）３ＣＦ＝ＣＦ２）；１，１，１，２，２，３，４，５，５，６，６，６−ドデカフルオロ−３−ヘキセン（ＣＦ３ＣＦ２ＣＦ＝ＣＦＣＦ２ＣＦ３）；１，１，１，４，４，４−ヘキサフルオロ−２，３−ビス（トリフルオロメチル）−２−ブテン（（ＣＦ３）２Ｃ＝Ｃ（ＣＦ３）２）；１，１，１，２，３，４，５，５，５−ノナフルオロ−４−（トリフルオロメチル）−２−ペンテン（（ＣＦ３）２ＣＦＣＦ＝ＣＦＣＦ３）；１，１，１，４，４，５，５，５−オクタフルオロ−２−（トリフルオロメチル）−２−ペンテン（（ＣＦ３）２Ｃ＝ＣＨＣ２Ｆ５）；１，１，１，３，４，５，５，５−オクタフルオロ−４−（トリフルオロメチル）−２−ペンテン（（ＣＦ３）２ＣＦＣＦ＝ＣＨＣＦ３）；３，３，４，４，５，５，６，６，６−ノナフルオロ−１−ヘキセン（ＣＦ３ＣＦ２ＣＦ２ＣＦ２ＣＨ＝ＣＨ２）；４，４，４−トリフルオロ−３，３−ビス（トリフルオロメチル）−１−ブテン（ＣＨ２＝ＣＨＣ（ＣＦ３）３）；１，１，１，４，４，４−ヘキサフルオロ−３−メチル−２−（トリフルオロメチル）−２−ブテン（（ＣＦ３）２Ｃ＝Ｃ（ＣＨ３）（ＣＦ３））；２，３，３，５，５，５−ヘキサフルオロ−４−（トリフルオロメチル）−１−ペンテン（ＣＨ２＝ＣＦＣＦ２ＣＨ（ＣＦ３）２）；１，１，１，２，４，４，５，５，５−ノナフルオロ−３−メチル−２−ペンテン（ＣＦ３ＣＦ＝Ｃ（ＣＨ３）ＣＦ２ＣＦ３）；１，１，１，５，５，５−ヘキサフルオロ−４−（トリフルオロメチル）−２−ペンテン（ＣＦ３ＣＨ＝ＣＨＣＨ（ＣＦ３）２）；３，４，４，５，５，６，６，６−オクタフルオロ−２−ヘキセン（ＣＦ３ＣＦ２ＣＦ２ＣＦ＝ＣＨＣＨ３）；３，３，４，４，５，５，６，６−オクタフルオロ−１−ヘキセン（ＣＨ２＝ＣＨＣＦ２ＣＦ２ＣＦ２ＣＨＦ２）；１，１，１，４，４−ペンタフルオロ−２−（トリフルオロメチル）−２−ペンテン（（ＣＦ３）２Ｃ＝ＣＨＣＦ２ＣＨ３）；４，４，５，５，５−ペンタフルオロ−２−（トリフルオロメチル）−１−ペンテン（ＣＨ２＝Ｃ（ＣＦ３）ＣＨ２Ｃ２Ｆ５）；３，３，４，４，５，５，５−ヘプタフルオロ−２−メチル−１−ペンテン（ＣＦ３ＣＦ２ＣＦ２Ｃ（ＣＨ３）＝ＣＨ２）；４，４，５，５，６，６，６−ヘプタフルオロ−２−ヘキセン（ＣＦ３ＣＦ２ＣＦ２ＣＨ＝ＣＨＣＨ３）；４，４，５，５，６，６，６−ヘプタフルオロ−１−ヘキセン（ＣＨ２＝ＣＨＣＨ２ＣＦ２Ｃ２Ｆ５）；１，１，１，２，２，３，４−ヘプタフルオロ−３−ヘキセン（ＣＦ３ＣＦ２ＣＦ＝ＣＦＣ２Ｈ５）；４，５，５，５−テトラフルオロ−４−（トリフルオロメチル）−１−ペンテン（ＣＨ２＝ＣＨＣＨ２ＣＦ（ＣＦ３）２）；１，１，１，２，５，５，５−ヘプタフルオロ−４−メチル−２−ペンテン（ＣＦ３ＣＦ＝ＣＨＣＨ（ＣＦ３）（ＣＨ３））；１，１，１，３−テトラフルオロ−２−（トリフルオロメチル）−２−ペンテン（（ＣＦ３）２Ｃ＝ＣＦＣ２Ｈ５）；１，１，１，２，３，４，４，５，５，６，６，７，７，７−テトラデカフルオロ−２−ヘプテン（ＣＦ３ＣＦ＝ＣＦＣＦ２ＣＦ２Ｃ２Ｆ５）；１，１，１，２，２，３，４，５，５，６，６，７，７，７−テトラデカフルオロ−３−ヘプテン（ＣＦ３ＣＦ２ＣＦ＝ＣＦＣＦ２Ｃ２Ｆ５）；１，１，１，３，４，４，５，５，６，６，７，７，７−トリデカフルオロ−２−ヘプテン（ＣＦ３ＣＨ＝ＣＦＣＦ２ＣＦ２Ｃ２Ｆ５）；１，１，１，２，４，４，５，５，６，６，７，７，７−トリデカフルオロ−２−ヘプテン（ＣＦ３ＣＦ＝ＣＨＣＦ２ＣＦ２Ｃ２Ｆ５）；１，１，１，２，２，４，５，５，６，６，７，７，７−トリデカフルオロ−３−ヘプテン（ＣＦ３ＣＦ２ＣＨ＝ＣＦＣＦ２Ｃ２Ｆ５）；および１，１，１，２，２，３，５，５，６，６，７，７，７−トリデカフルオロ−３−ヘプテン（ＣＦ３ＣＦ２ＣＦ＝ＣＨＣＦ２Ｃ２Ｆ５）からなる群から選択されるフルオロオレフィン
からなる群から選択される少なくとも１種の化合物である上記６に記載の組成物。
１１．アレオキサリルビス（ベンジリデン）ヒドラジド；Ｎ，Ｎ’−ビス（３，５−ジ−第三ブチル−４−ヒドロキシヒドロシンナモイルヒドラジン）；２，２’−オキサミドビス−エチル−（３，５−ジ−第三ブチル−４−ヒドロキシヒドロシンナメート）；Ｎ，Ｎ’−（ジサリチリデン）−１，２−プロパンジアミン；エチレンジアミン四酢酸およびその塩；トリアゾール；ベンゾトリアゾール、２−メルカプトベンゾチアゾール、トルトリアゾール誘導体、Ｎ，Ｎ−ジサリチリデン−１，２−ジアミノプロパン、およびそれらの混合物からなる群から選択される金属不活性化剤をさらに含む、上記１に記載の組成物。１２．上記１に記載の組成物を凝縮させる工程と、その後冷却されるべき本体の近くで前記組成物を蒸発させる工程とを含む冷却を行うための方法。
１３．加熱されるべき本体の近くで上記１に記載の組成物を凝縮させる工程と、その後前記組成物を蒸発させる工程とを含む熱を生成するための方法。
１４．ＣＦ３Ｉを含む組成物の分解を低減するための方法であって、前記分解が冷凍、エアコンまたはヒートポンプシステム中の不注意な空気の存在によって引き起こされ、前記方法が有効量の少なくとも１種のイオン性液体を、ＣＦ３Ｉを含む組成物に添加する工程を含む、方法。
１５．ＣＦ３Ｉを含む組成物について酸素との反応を低減するための方法であって、少なくとも１種のイオン性液体を含む有効量の安定剤を、ＣＦ３Ｉを含む組成物に添加する工程を含む方法。
【手続補正３】
【補正対象書類名】特許請求の範囲
【補正対象項目名】全文
【補正方法】変更
【補正の内容】
【特許請求の範囲】
【請求項１】
少なくとも１種のイオン性液体とＣＦ３Ｉとを含む組成物。
【請求項２】
イオン性液体が、
【化１】
2010540730.tif 000008
【化２】
2010540730.tif 000009
［式中、Ｒ１、Ｒ２、Ｒ３、Ｒ４、Ｒ５およびＲ６は、
（ｉ）Ｈ；
（ii）ハロゲン；
（iii）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（iv）Ｏ、Ｎ、ＳｉおよびＳからなる群から選択される１〜３個のヘテロ原子を含み、かつ、Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ｖ）Ｃ６〜Ｃ２０非置換アリール、またはＯ、Ｎ、ＳｉおよびＳからなる群から独立して選択される１〜３個のヘテロ原子を有するＣ３〜Ｃ２５非置換ヘテロアリール；ならびに
（vi）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリールであって；
１．Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン、
２．ＯＨ、
３．ＮＨ２、および
４．ＳＨ
からなる群から独立して選択される１〜３個の置換基を有する置換アリールまたは置換ヘテロアリール
からなる群からそれぞれ独立して選択され；かつ、
式中、Ｒ７、Ｒ８、Ｒ９、およびＲ１０は、
（vii）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（viii）Ｏ、Ｎ、ＳｉおよびＳからなる群から選択される１〜３個のヘテロ原子を含み、かつ、Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン；
（ix）Ｃ６〜Ｃ２５非置換アリール、またはＯ、Ｎ、ＳｉおよびＳからなる群から独立して選択される１〜３個のヘテロ原子を有するＣ３〜Ｃ２５非置換ヘテロアリール；ならびに
（ｘ）Ｃ６〜Ｃ２５置換アリール、またはＯ、Ｎ、ＳｉおよびＳからなる群から独立して選択される１〜３個のヘテロ原子を有するＣ３〜Ｃ２５置換ヘテロアリールであって；
（１）Ｃｌ、Ｂｒ、Ｆ、Ｉ、ＯＨ、ＮＨ２およびＳＨからなる群から選択される少なくとも１種のメンバーで場合により置換された、−ＣＨ３、−Ｃ２Ｈ５、またはＣ３〜Ｃ２５の直鎖、分枝鎖もしくは環状アルカンもしくはアルケン、
（２）ＯＨ、
（３）ＮＨ２、および
（４）ＳＨ
からなる群から独立して選択される１〜３個の置換基を有する置換アリールまたは置換ヘテロアリール
からなる群からそれぞれ独立して選択され；かつ、
式中、場合によりＲ１、Ｒ２、Ｒ３、Ｒ４、Ｒ５、Ｒ６、Ｒ７、Ｒ８、Ｒ９、およびＲ１０の少なくとも２つが環状もしくは二環状アルカニルもしくはアルケニル基を一緒になって形成することができる］
からなる群から選択される少なくとも１種の陽イオンを含む請求項１に記載の組成物。
【請求項３】
Ｒ１、Ｒ２、Ｒ３、Ｒ４、Ｒ５、Ｒ６、Ｒ７、Ｒ８、Ｒ９およびＲ１０のいずれの１つも、またはそれらの２つ以上のいずれの群もＦ−を含む請求項２に記載の組成物。
【請求項４】
イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−および任意のフッ素化陰イオンからなる群から選択される陰イオンを含む請求項１に記載の組成物。
【請求項５】
フッ素化陰イオンが、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−、およびＦ−からなる群から選択される請求項３に記載の組成物。